(57)【特許請求の範囲】
【請求項１】
所定間隔で配置された複数の縦筋（１２）と、該縦筋の上に所定間隔で配置されて溶接された複数の横筋（１３）からなり、縦筋の一端が少なくとも横筋の間隔以上の長さ突出し、基端が突出することなく止着されているとともに、横筋の一端と基端が突出することなく止着されている略方形の第１のメッシュ鉄筋（１１）と、
第１のメッシュ鉄筋（１１）の縦筋の間隔と等しい間隔で配置された複数の縦筋（１６）と、該縦筋の上に第１のメッシュ鉄筋（１１）の横筋の間隔と等しい間隔で配置されて溶接された複数の横筋（１７）からなり、縦筋の一端が少なくとも横筋の間隔以上の長さ突出し、基端が突出することなく止着されているとともに、横筋の一端が少なくとも縦筋の間隔以上の長さ突出し、基端が突出することなく止着されている略方形の第２のメッシュ鉄筋（１５）と、
第１のメッシュ鉄筋（１１）の縦筋の間隔と等しい間隔で配置された複数の縦筋（２２）と、該縦筋の上に第１のメッシュ鉄筋（１１）の横筋の間隔と等しい間隔で配置されて溶接された複数の横筋（２３）からなり、縦筋の一端と基端が突出することなく止着されているとともに、横筋の一端と基端が突出することなく止着されている略方形の第３のメッシュ鉄筋（２１）と、
第１のメッシュ鉄筋（１１）の縦筋の間隔と等しい間隔で配置された複数の縦筋（２６）と、該縦筋の上に第１のメッシュ鉄筋（１１）の横筋の間隔と等しい間隔で配置されて溶接された複数の横筋（２７）からなり、縦筋の一端と基端が突出することなく止着されているとともに、横筋の一端が少なくとも縦筋の間隔以上の長さ突出し、基端が突出することなく止着されている略方形の第４のメッシュ鉄筋（２５）と、
をそれぞれ所定枚数用意し、
ベタ基礎施工地盤の一方の角地に第１のメッシュ鉄筋（１１）の縦筋の基端と横筋の一端を角合わせして配置した後、第１のメッシュ鉄筋（１１）の縦筋の一端側に次の第１のメッシュ鉄筋（１１）の縦筋の基端側を、対応する縦筋同士が接し、両鉄筋間において隣接する横筋同士の間隔が横筋の間隔と等しい間隔となって一部重なり合うように配置し、以下同様にして第１のメッシュ鉄筋（１１）を縦方向に順次配置する一方、
第１のメッシュ鉄筋（１１）の横筋の他端側に第２のメッシュ鉄筋（１５）の横筋の一端側を、対応する横筋同士が接し、両鉄筋間において隣接する縦筋同士の間隔が縦筋の間隔と等しい間隔となって一部重なり合うように配置し、以下同様にして第２のメッシュ鉄筋（１５）を横方向に順次配置し、
縦方向の最終列となったときに第１のメッシュ鉄筋（１１）の縦筋の一端側に第３のメッシュ鉄筋（２１）の縦筋の基端側を、対応する縦筋同士が接し、両鉄筋間において隣接する横筋同士の間隔が横筋の間隔と等しい間隔となって一部重なり合うように配置し、
かつ第３のメッシュ鉄筋（２１）の横筋の他端側に第４のメッシュ鉄筋（２５）の横筋の一端側を、対応する横筋同士が接し、両鉄筋間において隣接する縦筋同士の間隔が縦筋の間隔と等しい間隔となって一部重なり合うように配置し、
このようにしてメッシュ鉄筋を地盤全体に隙間なく配置することを特徴とするベタ基礎の配筋方法。
【発明の詳細な説明】
【０００１】
【発明の属する技術分野】
この発明は、ベタ基礎工法に用いられるベタ基礎の配筋方法に関するものである。
【０００２】
【従来の技術】
この種の配筋方法として、ワイヤメッシュからなる溶接金網を用いるものが普及しているが、この溶接金網を用いる継手は通常の重ね継手で、重ねるだけで結束もなしで施工されている。図６は前記の溶接金網が配置された例を示しており、配置に際しては一方の金網５１の上に他方の金網５５を一部重ね合わせて載せていく。この例では半目重ねを示しており、そのほかに側線重ね、１目重ねがある。
【０００３】
ところで、前記従来の配筋方法は、溶接金網の配置に際して図６（Ａ）に示すように重なり部において縦筋５２，５６及び横筋５３，５７が縦方向及び横方向にずれて乱れが起こりやすく、組みたて精度、見栄えが悪い。また、同（Ｂ）に示すように重なり合う部分の厚さが鉄筋径の４倍となり、ダブル配筋時には特に鉄筋のかぶり厚さの確保が難しく、その後の打設コンクリートの厚さにも影響する。さらに、建築基準法では鉄筋相互の空きは、▲１▼粗骨材の最大寸法の１.５倍、▲２▼２５mm、▲３▼丸鋼の径及び異形鉄筋の径（呼び名の数値）の１.５倍、の値のうち最大のもの以上とする、との一般構造基準があるが、重なり合う部分が、コンクリート打設時にジャンカ（豆板）等の充填不良が起き易いという問題があった。
【０００４】
【発明が解決しようとする課題】
そこでこの発明は、前記のような従来の問題点を解決し、配置に際して縦方向及び横方向にずれることがなく、かぶりの確保も可能で、ジャンカ等の充填不良も起きないベタ基礎の配筋方法を提供することを目的とする。
【０００５】
【課題を解決するための手段】
前記目的を達成するため、この発明は、所定間隔で配置された複数の縦筋と、該縦筋の上に所定間隔で配置されて溶接された複数の横筋からなり、縦筋の一端が少なくとも横筋の間隔以上の長さ突出し、基端が突出することなく止着されているとともに、横筋の一端と基端が突出することなく止着されている略方形の第１のメッシュ鉄筋と、第１のメッシュ鉄筋の縦筋の間隔と等しい間隔で配置された複数の縦筋と、該縦筋の上に第１のメッシュ鉄筋の横筋の間隔と等しい間隔で配置されて溶接された複数の横筋からなり、縦筋の一端が少なくとも横筋の間隔以上の長さ突出し、基端が突出することなく止着されているとともに、横筋の一端が少なくとも縦筋の間隔以上の長さ突出し、基端が突出することなく止着されている略方形の第２のメッシュ鉄筋と、第１のメッシュ鉄筋の縦筋の間隔と等しい間隔で配置された複数の縦筋と、該縦筋の上に第１のメッシュ鉄筋の横筋の間隔と等しい間隔で配置されて溶接された複数の横筋からなり、縦筋の一端と基端が突出することなく止着されているとともに、横筋の一端と基端が突出することなく止着されている略方形の第３のメッシュ鉄筋と、第１のメッシュ鉄筋の縦筋の間隔と等しい間隔で配置された複数の縦筋と、該縦筋の上に第１のメッシュ鉄筋の横筋の間隔と等しい間隔で配置されて溶接された複数の横筋からなり、縦筋の一端と基端が突出することなく止着されているとともに、横筋の一端が少なくとも縦筋の間隔以上の長さ突出し、基端が突出することなく止着されている略方形の第４のメッシュ鉄筋と、をそれぞれ所定枚数用意し、ベタ基礎施工地盤の一方の角地に第１のメッシュ鉄筋の縦筋の基端と横筋の一端を角合わせして配置した後、第１のメッシュ鉄筋の縦筋の一端側に次の第１のメッシュ鉄筋の縦筋の基端側を、対応する縦筋同士が接し、両鉄筋間において隣接する横筋同士の間隔が横筋の間隔と等しい間隔となって一部重なり合うように配置し、以下同様にして第１のメッシュ鉄筋を縦方向に順次配置する一方、第１のメッシュ鉄筋の横筋の他端側に第２のメッシュ鉄筋の横筋の一端側を、対応する横筋同士が接し、両鉄筋間において隣接する縦筋同士の間隔が縦筋の間隔と等しい間隔となって一部重なり合うように配置し、以下同様にして第２のメッシュ鉄筋を横方向に順次配置し、縦方向の最終列となったときに第１のメッシュ鉄筋の縦筋の一端側に第３のメッシュ鉄筋の縦筋の基端側を、対応する縦筋同士が接し、両鉄筋間において隣接する横筋同士の間隔が横筋の間隔と等しい間隔となって一部重なり合うように配置し、かつ第３のメッシュ鉄筋の横筋の他端側に第４のメッシュ鉄筋の横筋の一端側を、対応する横筋同士が接し、両鉄筋間において隣接する縦筋同士の間隔が縦筋の間隔と等しい間隔となって一部重なり合うように配置し、このようにしてメッシュ鉄筋を地盤全体に隙間なく配置することを特徴とする。
【０００９】
【発明の実施の形態】
この発明の一実施の形態を、添付図面を参照して説明する。図１はベタ基礎の配筋方法を説明する斜視図、図２はベタ基礎の配筋方法で使用するメッシュ鉄筋の各種の例等を示す図面、図３は同上の配筋方法を説明する平面図、図４は図３のＡ部の拡大図、図５は図３のＢ部の拡大図である。
【００１０】
以下、図面により具体的に説明する。図１において１はベタ基礎施工地盤、この例では長方形状の区画を呈している。このベタ基礎施工地盤１に配筋するには各種の略方形のメッシュ鉄筋を１−１，２−１，３−１…と縦方向に配置するとともに、１−１に対して１−２，１−３，１−４…、２−１に対して２−２，２−３…、３−１に対して３−２…、と横方向に配置していくが、以下に配置するメッシュ鉄筋の種類と構成について説明する。
【００１１】
図２（Ａ）は第１のメッシュ鉄筋１１で、等間隔で配置された複数の縦筋１２と、該縦筋の上に等間隔で配置されて溶接された複数の横筋１３からなり、縦筋１２のそれぞれ一端が横筋１３の３目ぶんほど突出し、縦筋１２のそれぞれ基端、横筋１３のそれぞれ一端及び基端は突出することなく止着された構成となっている。縦筋１２の間隔は横筋１３の間隔より若干大きくなっている。同（Ｂ）は第２のメッシュ鉄筋１５で、第１のメッシュ鉄筋１１の縦筋１２と等間隔で配置された複数の縦筋１６と、該縦筋の上に第１のメッシュ鉄筋１１の横筋１３と等間隔で配置されて溶接された複数の横筋１７からなり、縦筋１６のそれぞれ一端が横筋１７の３目ぶんほど突出するとともに、横筋１７のそれぞれ一端が縦筋１６の２目半ぶんほど突出し、縦筋１６及び横筋１７のそれぞれ基端は突出することなく止着された構成となっている。同（Ｃ）はメッシュ鉄筋１１及びメッシュ鉄筋１５の側面図を示す。
【００１２】
図２（Ｄ）は第３のメッシュ鉄筋２１で、第１のメッシュ鉄筋１１の縦筋１２と等間隔で配置された複数の縦筋２２と、該縦筋の上に第１のメッシュ鉄筋１１の横筋１３と等間隔で配置されて溶接された複数の横筋２３からなり、縦筋２２及び横筋２３のそれぞれ一端及び基端は突出することなく止着された構成となっている。同（Ｅ）は第４のメッシュ鉄筋２５で、第１のメッシュ鉄筋１１の縦筋１２と等間隔で配置された複数の縦筋２６と、該縦筋の上に第１のメッシュ鉄筋１１の横筋１３と等間隔で配置されて溶接された複数の横筋２７からなり、横筋２７のそれぞれ一端が縦筋２６の２目半ぶんほど突出し、横筋２７のそれぞれ基端、縦筋２６のそれぞれ一端及び基端は突出することなく止着された構成となっている。同（Ｆ）はメッシュ鉄筋２１及びメッシュ鉄筋２５の側面図を示す。
【００１３】
前記のような４種類のメッシュ鉄筋を用いたベタ基礎の配筋方法について、図１及び図３〜５を参照して説明する。配筋に際しては、工場生産した第２のメッシュ鉄筋１５を複数枚現場に運び用意する。第１，３，４のメッシュ鉄筋１１，２１，２５も同様に工場生産して現場に運び込んでもよいが、多種類のものを生産し、かつ運搬する煩雑さを解消する意味で、この例では応用のきく第２のメッシュ鉄筋１５のみを用意することとし、他の種類のものを使用するときは第２のメッシュ鉄筋１５の縦筋又は／及び横筋の突出した部分を必要に応じてカットし、第２のメッシュ鉄筋１５から第１，３，４のメッシュ鉄筋１１，２１，２５を現場で作って用いるようにしている。
【００１４】
しかして、まずベタ基礎施工地盤１にその一方の角地、図３では左上角地に基準となる第１のメッシュ鉄筋１１を縦筋１２の突出した一端が図で下向きとなるように配置する。第１のメッシュ鉄筋１１を配置した後、前記したように該基準メッシュ鉄筋から次の第１のメッシュ鉄筋１１を縦方向に順次、対応する縦筋１２同士が接し、縦筋１２の突出した一端が重なり部で一部重なり合うように配置するとともに、第２のメッシュ鉄筋１５を横方向に順次、対応する横筋１７同士が接し、横筋１７の突出した一端が重なり部で一部重なり合うように配置していく。
【００１５】
すなわち、基準メッシュ鉄筋１１に対して第１のメッシュ鉄筋１１を縦方向に配置する際には、重ね合わせる第１のメッシュ鉄筋１１における縦筋１２の突出しない側の端にある横筋１３と、重ね合わせられる第１のメッシュ鉄筋１１における縦筋１１の突出した側の端にある横筋１３との間隔が横筋の１目と等しい間隔となるようにするとともに、対応する縦筋１２と縦筋１２が接するように配置する。このようにして縦方向に必要数、配置する。
【００１６】
また、基準メッシュ鉄筋１１に対して第２のメッシュ鉄筋１５を横方向に配置する際には、重ね合わせる第２のメッシュ鉄筋１５における横筋１７の突出した側の端にある縦筋１６と、重ね合わせられる第１のメッシュ鉄筋１１における第２のメッシュ鉄筋１５側の端にある縦筋１２との間隔が縦筋の１目と等しい間隔となるようにするとともに、対応する横筋１７と横筋１３が接するように配置する。次に、第２のメッシュ鉄筋１５に対して第２のメッシュ鉄筋１５を横方向に配置する際には、図４に示すように重ね合わせる第２のメッシュ鉄筋１５における横筋１７の突出した側の端にある縦筋１６と、重ね合わせられる第２のメッシュ鉄筋１５における横筋１７の突出しない側の端にある縦筋１６との間隔ａが縦筋１６の１目と等しい間隔となるようにするとともに、対応する横筋１７と横筋１７が接するように配置する。このようにして横方向に必要数、配置する。
【００１７】
次に、２列目以降の任意の列において、第２のメッシュ鉄筋１５に対して第２のメッシュ鉄筋１５を横方向に配置する際に第２のメッシュ鉄筋１５に対して第２のメッシュ鉄筋１５を縦方向にも配置することとなるが、この際には、図５に示すように重ね合わせる第２のメッシュ鉄筋１５における縦筋１６の突出しない側の端にある横筋１７と、重ね合わせられる第２のメッシュ鉄筋１５における縦筋１６の突出した側の端にある横筋１７との間隔ｂが横筋の１目と等しい間隔となるようにするとともに、対応する縦筋１６と縦筋１６が接するように配置する。このようにして複数列にわたり必要数、配置する。
【００１８】
そして、図３で最下段である最終列となったときに第３のメッシュ鉄筋２１を第１のメッシュ鉄筋１１に対して前記と同様な手順で配置するとともに、第４のメッシュ鉄筋２５を第３のメッシュ鉄筋２１に対して配置する。その配置に際しては、第２のメッシュ鉄筋１５を第１のメッシュ鉄筋１１に対して配置する場合とほぼ同様であり、重ね合わせる第４のメッシュ鉄筋２５における横筋２７の突出した側の端にある縦筋２６と、重ね合わせられる第３のメッシュ鉄筋２１における第４のメッシュ鉄筋２５側の端にある縦筋２２との間隔が縦筋２６の１目と等しい間隔となるようにするとともに、対応する横筋２７と横筋２３が接するように配置する。最終列がいずれのメッシュ鉄筋２１，２５でも対応することができない場合もあり得るが、そのようなときは縦筋又は横筋の１本ものからなる生材を用いることもある。そして、第４のメッシュ鉄筋２５を第２のメッシュ鉄筋１５と同様に順次必要数横方向に配置すると、ベタ基礎施工地盤１は地盤全体がメッシュ鉄筋１１，１５，２１，２５で隙間なく配置されて、図３に示すようにその全てがメッシュ鉄筋で覆われた状態となる。
【００１９】
前記のようにして配置されたメッシュ鉄筋１１，１５，２１，２５においては、重なり合う縦筋と縦筋、横筋と横筋が接するので、重なり部において縦筋及び横筋が縦方向及び横方向にずれることがない。重なり合う部分の厚さも図４（Ｂ）から明らかのように鉄筋径の２倍となり、従来の半分程度になる。そのため、鉄筋相互の空きも十分にとれ、コンクリート打設時におけるジャンカ等の充填不良が起きにくいものとなる。
【００２０】
そして、前記のようにメッシュ鉄筋が地盤全体に隙間なく配置された後、ベタ基礎工法においてはその上からコンクリートを打設して、ベタ基礎を構築することになる。
【００２１】
前記の実施の形態においては、左上角地を基準として、縦方向及び横方向にメッシュ鉄筋を順次配置したが、基準としては右下角地としてもよく、またメッシュ鉄筋の配置はいろいろな順で行うことが可能であり、配置順は任意である。
【００２２】
前記のように実施の形態では４種類のメッシュ鉄筋１１，１５，２１，２５を用いて、地盤１にメッシュ鉄筋を配置する例を示したが、これはあくまでも好ましい一例である。また、メッシュ鉄筋として示した４種類の構成も、その縦筋及び横筋の個数や目の間隔、突出長さなどは、必ずしもこのようなものに限定されるものではなく、実施に際してはその具体的な寸法等は適宜に変更することが可能である。
【００２３】
【発明の効果】
この発明によれば、所定間隔で配置された複数の縦筋と、該縦筋の上に所定間隔で配置されて溶接された複数の横筋からなり、縦筋の一端が少なくとも横筋の間隔以上の長さ突出し、基端が突出することなく止着されているとともに、横筋の一端と基端が突出することなく止着されている略方形の第１のメッシュ鉄筋と、第１のメッシュ鉄筋の縦筋の間隔と等しい間隔で配置された複数の縦筋と、該縦筋の上に第１のメッシュ鉄筋の横筋の間隔と等しい間隔で配置されて溶接された複数の横筋からなり、縦筋の一端が少なくとも横筋の間隔以上の長さ突出し、基端が突出することなく止着されているとともに、横筋の一端が少なくとも縦筋の間隔以上の長さ突出し、基端が突出することなく止着されている略方形の第２のメッシュ鉄筋と、第１のメッシュ鉄筋の縦筋の間隔と等しい間隔で配置された複数の縦筋と、該縦筋の上に第１のメッシュ鉄筋の横筋の間隔と等しい間隔で配置されて溶接された複数の横筋からなり、縦筋の一端と基端が突出することなく止着されているとともに、横筋の一端と基端が突出することなく止着されている略方形の第３のメッシュ鉄筋と、第１のメッシュ鉄筋の縦筋の間隔と等しい間隔で配置された複数の縦筋と、該縦筋の上に第１のメッシュ鉄筋の横筋の間隔と等しい間隔で配置されて溶接された複数の横筋からなり、縦筋の一端と基端が突出することなく止着されているとともに、横筋の一端が少なくとも縦筋の間隔以上の長さ突出し、基端が突出することなく止着されている略方形の第４のメッシュ鉄筋と、をそれぞれ所定枚数用意し、ベタ基礎施工地盤の一方の角地に第１のメッシュ鉄筋の縦筋の基端と横筋の一端を角合わせして配置した後、第１のメッシュ鉄筋の縦筋の一端側に次の第１のメッシュ鉄筋の縦筋の基端側を、対応する縦筋同士が接し、両鉄筋間において隣接する横筋同士の間隔が横筋の間隔と等しい間隔となって一部重なり合うように配置し、以下同様にして第１のメッシュ鉄筋を縦方向に順次配置する一方、第１のメッシュ鉄筋の横筋の他端側に第２のメッシュ鉄筋の横筋の一端側を、対応する横筋同士が接し、両鉄筋間において隣接する縦筋同士の間隔が縦筋の間隔と等しい間隔となって一部重なり合うように配置し、以下同様にして第２のメッシュ鉄筋を横方向に順次配置し、縦方向の最終列となったときに第１のメッシュ鉄筋の縦筋の一端側に第３のメッシュ鉄筋の縦筋の基端側を、対応する縦筋同士が接し、両鉄筋間において隣接する横筋同士の間隔が横筋の間隔と等しい間隔となって一部重なり合うように配置し、かつ第３のメッシュ鉄筋の横筋の他端側に第４のメッシュ鉄筋の横筋の一端側を、対応する横筋同士が接し、両鉄筋間において隣接する縦筋同士の間隔が縦筋の間隔と等しい間隔となって一部重なり合うように配置し、このようにしてメッシュ鉄筋を地盤全体に隙間なく配置するので、互いに接する縦筋と縦筋、横筋と横筋によってしっかりと継がれ、従来のように配置に際して縦方向及び横方向にずれることがないので、継ぎ手部として確実な縦筋と横筋の配置を可能とすることができる。また、重なり合う部分の厚さも鉄筋径の２倍ですみ、従来のように複雑に鉄筋が交差しなくなるため、ダブル配筋時でも鉄筋のかぶりの確保が可能であり、打設コンクリートの厚さを最小限に止めることができる。さらに、重なり合う部分における鉄筋相互の空きが十分にとれ、コンクリート打設時にジャンカ等の充填不良が起きにくく、品質も向上する。さらにまた、施工も簡便であるとともに、配筋後の縦筋及び横筋が直線的となり、平面的な見栄えもよいという効果がある。
【図面の簡単な説明】
【図１】この発明の一実施の形態を示す、ベタ基礎の配筋方法を説明する斜視図である。
【図２】ベタ基礎の配筋方法で使用するメッシュ鉄筋の各例等を示す図面で、（Ａ）は第１のメッシュ鉄筋の平面図、（Ｂ）は第２のメッシュ鉄筋の平面図、（Ｃ）は（Ａ），（Ｂ）のメッシュ鉄筋の側面図、（Ｄ）は第３のメッシュ鉄筋の平面図、（Ｅ）は第４のメッシュ鉄筋の平面図、（Ｆ）は（Ｄ），（Ｅ）のメッシュ鉄筋の側面図である。
【図３】同上の配筋方法を説明する平面図である。
【図４】（Ａ）は図３のＡ部の拡大図、（Ｂ）は（Ａ）のＣ−Ｃ線に沿う断面図である。
【図５】図３のＢ部の拡大図である。
【図６】（Ａ）は従来の溶接金網の配置例を示す、重なり部付近の平面図、（Ｂ）は（Ａ）のＤ−Ｄ線に沿う断面図である。
【符号の説明】
１  ベタ基礎施工地盤                    １１  第１のメッシュ鉄筋
１２  縦筋                              １３  横筋
１５  第２のメッシュ鉄筋                １６  縦筋
１７  横筋                              ２１  第３のメッシュ鉄筋
２２  縦筋                              ２３  横筋
２５  第４のメッシュ鉄筋                ２６  縦筋
２７  横筋
【図１】
0003639567.tif 000002
【図２】
0003639567.tif 000003
【図３】
0003639567.tif 000004
【図４】
0003639567.tif 000005
【図５】
0003639567.tif 000006
【図６】
0003639567.tif 000007